(57)【要約】      （修正有）【課題】安全に乗り降りできるトレーラー荷台用ハシゴを提供する。【解決手段】トレーラー荷台用ハシゴ１００は、トレーラー荷台１０の高さよりも長さが短い支柱６と、支柱に複数設けられる足掛け用のステップと、支柱の上部に設けられる手すり部と、トレーラー荷台のスタンション穴７に着脱可能に差し込まれる差込み突起と、トレーラー荷台の側面に当接される押え部と、が備えられる。さらに、トレーラー荷台の下側には、ハシゴ収納ラック９が設けられる。また、足掛け用のステップには、滑り止めテープが設けられる。【選択図】図３
0003190472.tif 000002
【実用新案登録請求の範囲】
【請求項１】
トレーラー荷台の高さよりも長さが短い支柱と、
前記支柱に複数設けられる足掛け用のステップと、
前記支柱の上部に設けられる手すり部と、
トレーラー荷台のスタンション穴に着脱可能に差し込まれる差込み突起と、
トレーラー荷台の側面に当接される押え部と、が備えられることを特徴とするトレーラー荷台用ハシゴ。
【請求項２】
前記トレーラー荷台の下側に、ハシゴ収納ラックが設けられることを特徴とする請求項１に記載のトレーラー荷台用ハシゴ。
【請求項３】
前記ステップには、滑り止めテープが設けられることを特徴とする請求項１に記載のトレーラー荷台用ハシゴ。
【考案の詳細な説明】
【技術分野】
【０００１】
本考案は、トレーラー荷台用ハシゴに係り、より詳しくは、トレーラーの荷台に安全に乗り降りができるトレーラー荷台用ハシゴに関する。
【背景技術】
【０００２】
トレーラーの荷台は地面から例えば１．７ｍの高さがあり、荷台に乗る又は荷台から降りるため、車体の下側に高さ約１．７ｍの脚立が備え付けられる。この脚立を取り出して荷台の横に設置し乗り降りを行なう。しかしながら、脚立は頂部に手すりがなく、安全に乗り降りできない。なお、地盤の悪い場所では、脚立が不安定となって転落のおそれもあるため、現場によっては脚立を使用禁止としている所もある。
【０００３】
特許文献１には、高さ約１．５ｍのクレーン車の上部面に回動可能に取り付けられるハシゴが示される。このハシゴは、回動させて側面に張り出させ、一端を下方に折り曲げてハシゴとする。ハシゴの上端はクレーン車の踊り場に固定されるので、安定しており地盤の影響を受けにくい。しかしながら、このハシゴも頂部には手すりがないので、安全に乗り降りできるものとはいえない。
【先行技術文献】
【特許文献】
【０００４】
【特許文献１】実開平５−５４０９２号公報
【考案の概要】
【考案が解決しようとする課題】
【０００５】
本考案の目的は、安全に乗り降りできるトレーラー荷台用ハシゴを提供することにある。
【課題を解決するための手段】
【０００６】
本考案によるトレーラー荷台用ハシゴは、トレーラー荷台の高さよりも長さが短い支柱と、前記支柱に複数設けられる足掛け用のステップと、前記支柱の上部に設けられる手すり部と、トレーラー荷台のスタンション穴に着脱可能に差し込まれる差込み突起と、トレーラー荷台の側面に当接される押え部と、が備えられることを特徴とする。
【０００７】
前記トレーラー荷台の下側に、トレーラー荷台用ハシゴを収納するハシゴ収納ラックが設けられることを特徴とする。
【０００８】
前記ステップに、滑り止めテープが設けられることが好ましい。
【考案の効果】
【０００９】
本考案のトレーラー荷台用ハシゴによれば、手すり部を設けたので、トレーラー荷台に乗り降りする場合、これにつかまることで安定した乗り降りができる。トレーラー荷台のスタンション穴に着脱可能に差し込まれる差込み突起と、トレーラー荷台の側面に当接される押え部を設けたので、トレーラー荷台の側面に確実に固定できる。支柱の長さが短く、支柱の下端が地面に接触しないので、トレーラー荷台用ハシゴを装着した状態であっても、向きを変更するなどの短い距離であれば、トレーラーを動かすことができる。
【００１０】
トレーラー荷台の下側にハシゴ収納ラックを設けたので、紐やチェーンで固定する場合に比べて、トレーラー荷台用ハシゴの取り出し及び収納が簡単にできる。また、走行時も安全性が確保できる。
【００１１】
足掛け用のステップに、滑り止めテープを設けたので、転落を防止することができる。
【図面の簡単な説明】
【００１２】
【図１】本考案によるトレーラー荷台用ハシゴの正面図である。
【図２】図１に示すトレーラー荷台用ハシゴの右側面図である。
【図３】図１のトレーラー荷台用ハシゴの使用状態を示す外観図である。
【図４】図３のトレーラー荷台用ハシゴの使用状態における手すり部、差込み突起及び押え部付近の斜視図である。
【図５】本考案によるハシゴ収納ラックの説明図である。
【考案を実施するための形態】
【００１３】
以下、図面を参照して、本考案によるトレーラー荷台用ハシゴを説明する。
【実施例】
【００１４】
図１は、本考案によるトレーラー荷台用ハシゴ１００の正面図である。トレーラー荷台用ハシゴ１００は、支柱６と、支柱６に複数設けられる足掛け用のステップ１と、支柱６の上部に設けられる手すり部３と、トレーラー荷台のスタンション穴に着脱可能に差し込まれる差込み突起４とが備えられる。ステップ１には、滑り止めテープ２が巻き付けられている。本実施例では、これに限られるものではないが、手すり部３の高さ（長さ）は約６０ｃｍ、支柱６の長さは約１．３ｍとした。ステップ１は５段とした。差込み突起４の幅ｂは、スタンション穴の幅と同じで、差し込まれた状態では、トレーラー荷台用ハシゴ１００を左右方向に動かないようにする。
【００１５】
図２は、図１に示すトレーラー荷台用ハシゴ１００の右側面図である。手すり部３は、上部が湾曲しているのでつかみやすい。押え部５は、幅が支柱６、６の幅と同じで、トレーラー荷台の側面に当接される。差込み突起４と押え部５との間の長さａは、トレーラー荷台の側面からスタンション穴までの長さに同じであり、差込み突起４がスタンション穴に差し込まれた状態では、押え部５がトレーラー荷台の側面に当接し、トレーラー荷台用ハシゴ１００を前後方向に動かないようにする。
【００１６】
図３は、図１のトレーラー荷台用ハシゴ１００の使用状態を示す外観図である。トレーラー荷台用ハシゴ１００は、トレーラー荷台１０のスタンション穴７に差込み突起４が差し込まれることで取り付けできる。スタンション穴７は、深さが約１５〜２０ｃｍで、有底で底には水抜きの孔がある。トレーラー荷台１０には、約２０個のスタンション穴７があり、スタンション８を立てることで、荷台の貨物が落下しないようにする。本実施例でのスタンション８（ｓｔａｎｃｈｉｏｎ）は、中空の角柱が使用される。トレーラー荷台用ハシゴ１００は、図３に示すように使用状態では、支柱６の下端は地面から約４０ｃｍ離れている。そのため、この状態で、短い距離であればトレーラーを動かすことができる。
【００１７】
図３に示すように、トレーラー荷台１０の下側には、ハシゴ収納ラック９が設けられる。ハシゴ収納ラック９は、挿入方向が傾斜して下がっており、２本のレール９ａ、ストッパ９ｂ、浮き上がり防止ワイヤ９ｃを備える。ハシゴ収納ラック９に、トレーラー荷台用ハシゴ１００がスライドするように収納される。２本のレール９ａの幅は、支柱６の幅に合わせているので、トレーラー荷台用ハシゴ１００が左右方向に動かないようにできる。ストッパ９ｂは、支柱６の下端に当接してスライドを止めるように機能する。最後に、浮き上がり防止ワイヤ９ｃをトレーラー荷台用ハシゴ１００に通して留めるので、トレーラー荷台用ハシゴ１００が上下方向に動かないようにできる。ハシゴ収納ラック９は、トレーラー荷台１０の側面から取り出し又は収納ができるので、従来のようにトレーラー荷台１０の下側に潜り込んで取り出し又は収納する場合に比べて作業性がよい。
【００１８】
図４は、図３のトレーラー荷台用ハシゴ１００の使用状態における手すり部３、差込み突起４及び押え部５付近の斜視図である。差込み突起４がトレーラー荷台１０のスタンション穴７に着脱可能に差し込まれる。押え部５は、トレーラー荷台１０の側面に当接される。
【００１９】
図５は、本考案によるハシゴ収納ラック９の説明図である。ハシゴ収納ラック９は、トレーラー荷台１０の下側に吊り金具で固定して取り付けられる。トレーラー荷台用ハシゴ１００は、スライドしてハシゴ収納ラック９から取り出すことができ、またスライドしてハシゴ収納ラック９に収納される。ハシゴ収納ラック９は、挿入方向が傾斜して下がっている。ストッパ９ｂの側には、浮き上がり防止板９ｄが設けられる。
【産業上の利用可能性】
【００２０】
本考案によるトレーラー荷台用ハシゴは、安全に乗り降りできるトレーラー荷台用ハシゴとして好適である。トレーラー荷台用ハシゴをトレーラー荷台の下側のハシゴ収納ラックに収納して、トレーラーの常備品とすることができる。
【符号の説明】
【００２１】
１    ステップ
２    滑り止めテープ
３    手すり部
４    差込み突起
５    押え部
６    支柱
７    スタンション穴
８    スタンション
９    ハシゴ収納ラック
９ａ    レール
９ｂ    ストッパ
９ｃ    浮き上がり防止ワイヤ
９ｄ    浮き上がり防止板
１０    トレーラー荷台
１００    トレーラー荷台用ハシゴ
【図１】
0003190472.tif 000003
【図２】
0003190472.tif 000004
【図３】
0003190472.tif 000005
【図４】
0003190472.tif 000006
【図５】
0003190472.tif 000007
【手続補正書】
【提出日】平成26年2月28日(2014.2.28)
【手続補正１】
【補正対象書類名】実用新案登録請求の範囲
【補正対象項目名】請求項２
【補正方法】変更
【補正の内容】
【請求項２】
前記トレーラー荷台の下側に設けられるハシゴ収納ラックに収納されることを特徴とする請求項１に記載のトレーラー荷台用ハシゴ。
【手続補正２】
【補正対象書類名】明細書
【補正対象項目名】０００７
【補正方法】変更
【補正の内容】
【０００７】
前記トレーラー荷台用ハシゴは、前記トレーラー荷台の下側に設けられるハシゴ収納ラックに収納されることを特徴とする。